(57)【要約】新コンセプトカード及び該カードを利用する購入者に基づく販売システムと方法が開示される。前記システムには以下が含まれる。  カード会社が販売者を同定したり、販売者への情報を登録又は付与したりすることを可能にする新コンセプトカードを発行するカードシステム４と、販売者が前記ＵＣ又は情報を受信することができ、前記カード又は情報を購入者に対して宣伝することができ、さらに、購入者が商品を購入することを可能にする販売者用システム３又は端末機３１と、購入者が商品を購入したり、前記ＵＣ情報を取得したりするため、前記販売者用システム又は端末機にアクセスでき、さらに、クレジットカード認証要求が行われるように前記ＵＣ又は販売者情報を迅速かつ正確に入力するためにカード会社にアクセスすることを可能にする購入者用端末機１と、購入者がそのクレジットカード認証要求を行うと、そのクレジットカード認証を処理する銀行システム２。【選択図】図１
2009535685.tif 000002
【特許請求の範囲】
【請求項１】
新コンセプトカードを利用する購入者に基づく販売システムであって、前記システムには以下が含まれる。ワイヤー／ワイヤレス通信回線を介してインターネットにアクセスする機能と、インターネット上で販売者サーバにアクセスし、ユビキタスカード（ＵＣ）情報を取得し、商品を購入する機能と、を含み、商品購入後にクレジットカード認証処理を行うためにカード会社のサーバにアクセスし、銀行口座に関連する処理を行うために銀行システムにアクセスする購入者用端末機と、販売者のＵＣ情報を登録、付与及び発行し、購入者を同定し、前記ＵＣ情報、クレジットカード情報、購入番号及び価格を受信し、さらに購入者がクレジットカード認証要求を行うと、そのクレジットカード認証処理を行い、送金を要求するため、前記銀行システムに購入者のクレジットカード認証内容を通知し、カード会員情報、購入者と販売者のＵＣ情報、購入者の取引情報、及びクレジットカード認証情報をデータベース（ＤＢ）に格納し、カード会員情報、購入者と販売者のＵＣ情報、購入者の取引情報、及びそのクレジットカード認証情報を前記購入者用端末機及び販売者用システム又は販売者用端末機に通知するカードシステムと、購入者と販売者のカード口座情報を格納し、前記購入者用端末機及び前記販売者用システム又は前記販売者用端末機によって前記口座を管理し、前記カードシステムがそのクレジットカード認証内容処理要求を行うと、購入者のカード口座から販売者のカード口座への送金を行う前記銀行システムと、前記ＵＣ情報を登録、付与、発行するため、インターネット上で前記カード会社用システムにアクセスし、銀行口座情報を管理するために前記銀行システムにアクセスし、購入者が前記ＵＣ情報を取得し、インターネット上で商品を検索・購入できるように情報を提供し、さらに、商品購入時におけるクレジットカード認証に必要な注文番号と価格を送信するための販売者マネージャサーバ及び販売者をカード会社（又は銀行）又は購入者に接続するための販売者用端末機を含む前記販売者用システム。
【請求項２】
前記カードシステム４が以下を含むことを特徴とする請求項１に係るシステム。販売者と購入者のＵＣの登録及び付与の管理と、購入者のカード口座から販売者のカード口座への送金を行うカード会社サーバと、購入者がインターネット上で購入情報及び購入者のＵＣ情報を入力すると、認証を行うために認証情報を前記カード会社サーバに提供し、そのクレジットカード認証内容を前記購入者用端末機及び前記販売者用システム又は前記販売者用端末機カードに送信するようにカード会社に要求する会社ウェブサーバと、そのクレジットカード認証処理を行うため、電話で前記カード会社サーバにアクセスする購入者が取引情報を入力でき、前記ＵＣ情報及び購入者の取引情報を前記カード会社サーバに送信できるようにガイドメッセージを送信するカード会社ＡＲＳシステムと、取引が遂行されたかどうかに関する情報を前記購入者用端末機及び前記販売者用端末機に送信するカード会社のメールサーバ。
【請求項３】
新コンセプトカードを利用する購入者に基づく販売方法であって、前記方法には以下が含まれる。販売者が、販売者用端末機を利用するか又はカード会社を訪れるかして加入契約を締結でき、ユビキタスカード（ＵＣ）情報を登録及び付与でき、ＵＣを発行できる第１ステップと、販売者が、前記ＵＣ情報を登録又は付与し、前記ＵＣを発行するため、販売者管理サーバを介してカード会社又は銀行にアクセスでき、銀行口座情報を管理するために銀行システムにアクセスでき、購入者の購入処理を行うため購入者用端末機にアクセスでき、前記ＵＣ又は前記ＵＣの全ソフトウェア及びモジュールを含む情報を購入者に通知できる第２ステップと、前記カード会社のデータベース（ＤＢ）で前記第１及び第２ステップによって取得された販売者のＵＣ登録情報を登録する第３ステップと、購入者が、前記ＵＣ情報を受信するために購入者用端末機を用いて販売者用システム又は前記販売者用端末機にアクセスでき、商品の購入について相談するとともに商品を購入することができ、商品購入に関する相談の完了時に販売者が前記購入者用端末機に注文番号や価格などの要件を通知できる第４ステップと、前記第４ステップの後に、購入者が、注文番号や価格などのクレジットカード認証情報を入力するため、前記購入者用端末機を用いて前記カード会社ＡＲＳシステム及び前記カード会社ウェブサーバにアクセスするか又はクレジットカード認証要求を行うため、前記ＵＣに連絡でき、さらに、銀行口座に関連する処理を行うため、前記銀行システムにアクセスできる第５ステップと、前記カード会社ＡＲＳシステム又は前記カード会社ウェブサーバが、購入者によって入力されたそのクレジットカード認証情報を送信する一方、所定の承認処理を介して購入者を同定でき、前記カード会社サーバが、前記承認処理後に前記銀行システムによって購入者のカード口座から販売者のカード口座への送金を要求できる第６ステップと、カード会社の要求によって、口座管理内容を処理するために購入者と販売者にアクセスするか、又は購入者のクレジットカード認証内容を処理するためにカード会社又は銀行にアクセスする第７ステップ。
【請求項４】
前記カード会社サーバがそのクレジットカード認証に従って前記購入者用端末機及び前記販売者用システム及び前記販売者用端末機にその取引結果を通知することを特徴とする請求項３に係る方法。
【請求項５】
前記カード会社サーバが送金を前記ＤＢに格納するので、販売者が、取引がそのクレジットカード認証に従って遂行されかどうかを確認するため、前記販売者用端末機を用いて前記カード会社ウェブサーバ及び前記カード会社ＡＲＳシステムにアクセスすることを許されることを特徴とする請求項３に係る方法。
【請求項６】
購入者のクレジットカード事前認証が前記第５ステップで起こると、前記カード会社サーバがクレジットカード事前認証をカード会社の事前認証ＤＢで処理し、さらに、購入商品が納入され、購入者の主認証が起こると、前記カード会社の事前認証ＤＢで処理された内容認証の処理を行い、前記銀行システムに認証処理を行うように要求することを特徴とする請求項３に係る方法。
【請求項７】
購入者の事前認証の認証が起こると、前記カード会社サーバが購入者の承認処理を行い、販売者のカード口座に送金を行い、購入者の支払いを要求することを特徴とする請求項３に係る方法。
【請求項８】
関連情報をカード会社又は銀行に登録するため、販売者や加入店舗に登録又は付与される新コンセプトカードを利用する購入者に基づく販売システムであって、国コード、カード識別コード、金融機関コード、加入年、通し番号、検証番号、会社の通し番号、販売者名、税番号、電話番号、カード番号などの加入店舗の基本情報と、固有の識別番号とが、数字、文字、バーコード、電子タグの形式で記録され、前記カードがキャッシュカード形式、ステッカー形式、シンプルなペーパー形式、端末機形式、システム形式、又は電子タグ形式のうちの任意の１形式であり、カード会社と提携する販売者を同定するために使用されることを特徴とする販売システム。
【発明の詳細な説明】
【技術分野】
【０００１】
本発明は、新コンセプトカード及び該カードを利用する購入者に基づく販売（マーケティング）システムと方法に関するものであり、特に、迅速かつ正確な商取引を実現するため、販売者がオンライン又はオフライン商取引で販売者情報の記録されたカードを購入者に対して宣伝することができ、前記新コンセプトカードを利用して購入者が商品（サービスを含む）の購入を含む全ての商取引で前記販売者情報を便利に入力できる新コンセプトカード及び該カードを利用する購入者に基づく販売（マーケティング）システムと方法に関するものである。
【背景技術】
【０００２】
現在、オンライン又はオフライン販売では、販売者はその観点からさまざまな媒体を介して商品（サービスを含む）を販売するので、販売者は、販売者情報を提供することなしに、商品・価格・店舗情報などの一般広告及び会員加入情報などの顧客情報を収集し、会員加入なしにランダム管理／商品販売を行っている。さらに、購入者の支払い面に言及すると、取引は、販売者への現金払い又はクレジットカード情報の提供によって決済されている。
【０００３】
しかしながら、かかる販売方法は、顧客が現金を保持するために不便であり、現金を紛失する危険がある。さらに、購入者がクレジットカードを利用して支払いを行えるように、販売者はカード認証端末機を設置する必要がある。よって、クレジットカード情報が販売者に提供されるので、前記カードの複製、偽造、又は二重認証のため、購入者に関する情報は漏洩する可能性がある。従って、さまざまな事故が起こる可能性もあり、安全性は低い。購入者はクレジットカードを利用するたびに常に不便や不安を感じ、インターネットや店舗とは異なり、クレジットカード認証端末機が設置されていないところでは、現金払いを除く支払いはほとんど行われない。特に、購入者が夜間に現金を保持しない場合、購入者は支払いに不便を感じる。
【０００４】
販売者の観点では、かかる顧客の購入活動の制約のため、売上成長を達成する可能性は低くなり、不払い（支払拒絶）のために問題が起こり得る。さらに、大型店舗では販売者がわずかなつり銭を含む現金を管理することは困難である。
【発明の開示】
【発明が解決しようとする課題】
【０００５】
従って、本発明は、上記問題点に鑑みてなされたものであり、本発明の目的は以下を含むシステムを提供することである。
【０００６】
カード会社（銀行）が販売者を同定したり、販売者への情報を登録又は付与したりすることを可能にする新コンセプトカード（ユビキタスカード（ＵＣ））を発行するカード会社（銀行）用システムと、販売者が前記ＵＣ又は情報を受信することができ、前記カード又は情報を購入者に対して宣伝することができ、さらに、購入者が商品を購入することを可能にする販売者用システム又は端末機と、購入者が商品を購入したり、前記ＵＣ情報を取得したりするため、前記販売者用システム又は端末機にアクセスでき、前記ＵＣ又は販売者情報を迅速かつ正確に入力するため、カード会社（銀行）にアクセスできるので、クレジットカード認証要求が行われることを可能にする購入者用端末機と、購入者がクレジットカード認証要求を行うと、クレジットカード認証を処理し、全てがワイヤー／ワイヤレス通信回線に接続されているので、前記ＵＣを用いて積極的な広告で顧客ベースを拡大するため、販売者はクレジットカード認証端末機の設置の有無にかかわらずクレジットカードを利用して商品を販売でき、安定して便利な商取引を実現するため、購入者が前記ＵＣ情報を利用して販売者のＵＣ情報及びそのクレジットカード認証情報を迅速かつ正確に入力できるカード会社（銀行）及び銀行システムと、販売者と購入者の要望を同時に満足させることによって購買活動を活性化し、販売効率を高めることができる方法。
【課題を解決するための手段】
【０００７】
本発明の態様によれば、上記及び他目的は、新コンセプトカードを利用する購入者に基づく販売システムを提供することで達成でき、前記システムは以下を含む。ワイヤー／ワイヤレス通信回線を介してインターネットにアクセスする機能と、インターネット上で販売者サーバにアクセスし、ユビキタスカード（ＵＣ）情報を取得し、商品を購入する機能と、を含み、商品購入後にクレジットカード認証処理を行うためにカード会社（銀行）のサーバにアクセスし、銀行口座に関連する処理を行うために銀行システムにアクセスする購入者用端末機と、販売者のＵＣ情報を登録、付与及び発行し、購入者を同定し、前記ＵＣ情報、クレジットカード情報、購入番号及び価格を受信し、さらに購入者がクレジットカード認証要求を行うと、そのクレジットカード認証処理を行い、送金を要求するため、前記銀行システムに購入者のクレジットカード認証内容を通知し、カード会員情報、購入者と販売者のＵＣ情報、購入者の取引情報、及びクレジットカード認証情報をデータベース（ＤＢ）に格納し、カード会員情報、購入者と販売者のＵＣ情報、購入者の取引情報、及びそのクレジットカード認証情報を前記購入者用端末機及び販売者用システム又は販売者用端末機に通知するカードシステムと、購入者と販売者のカード口座情報を格納し、前記購入者用端末機及び前記販売者用システム又は前記販売者用端末機によって前記口座を管理し、前記カードシステムがそのクレジットカード認証内容処理要求を行うと、購入者のカード口座から販売者のカード口座への送金を行う前記銀行システムと、前記ＵＣ情報を登録、付与、発行するため、インターネット上で前記カード会社（銀行）用システムにアクセスし、銀行口座情報を管理するため、前記銀行システムにアクセスし、購入者が前記ＵＣ情報を取得し、インターネット上で商品を検索・購入できるように情報を提供し、さらに、商品購入時におけるクレジットカード認証に必要な注文番号と価格を送信するための販売者マネージャサーバ及び販売者をカード会社（又は銀行）又は購入者に接続するための販売者用端末機を含む前記販売者用システム。
【０００８】
本発明の別の態様によれば、新コンセプトカードを利用する購入者に基づく販売方法が提供され、前記方法には以下が含まれる。販売者が、販売者用端末機を利用するか又はカード会社を訪れるかして加入契約を締結でき、ユビキタスカード（ＵＣ）情報を登録及び付与でき、ＵＣを発行できる第１ステップと、販売者が、前記ＵＣ情報を登録又は付与し、前記ＵＣを発行するため、販売者管理サーバを介してカード会社又は銀行にアクセスでき、銀行口座情報を管理するために銀行システムにアクセスでき、購入者の購入処理を行うため購入者用端末機にアクセスでき、前記ＵＣ又は前記ＵＣの全ソフトウェア及びモジュールを含む情報を購入者に通知できる第２ステップと、前記カード会社のデータベース（ＤＢ）で前記第１及び第２ステップによって取得された販売者のＵＣ登録情報を登録する第３ステップと、購入者が、前記ＵＣ情報を受信するために購入者用端末機を用いて販売者用システム又は前記販売者用端末機にアクセスでき、商品の購入について相談するとともに商品を購入することができ、商品購入に関する相談の完了時に販売者が前記購入者用端末機に注文番号や価格などの要件を通知できる第４ステップと、前記第４ステップの後に、購入者が、注文番号や価格などのクレジットカード認証情報を入力するため、前記購入者用端末機を用いて前記カード会社ＡＲＳシステム及び前記カード会社ウェブサーバにアクセスするか又はクレジットカード認証要求を行うため、前記ＵＣに連絡でき、さらに、銀行口座に関連する処理を行うため、前記銀行システムにアクセスできる第５ステップと、前記カード会社ＡＲＳシステム又は前記カード会社ウェブサーバが、購入者によって入力されたそのクレジットカード認証情報を送信する一方、所定の承認処理を介して購入者を同定でき、前記カード会社サーバが、前記承認処理後に前記銀行システムによって購入者のカード口座から販売者のカード口座への送金を要求できる第６ステップと、カード会社の要求によって、口座管理内容を処理するために購入者と販売者にアクセスするか、又は購入者のクレジットカード認証内容を処理するためにカード会社又は銀行にアクセスする第７ステップ。
【０００９】
本発明の別の態様によれば、関連情報をカード会社又は銀行に登録するため、販売者や加入店舗に登録されるか又は付与される新コンセプトカードを利用する購入者に基づく販売システムが提供される。国コード、カード識別コード、金融機関コード、加入年、通し番号、検証番号、会社の通し番号、販売者名、税番号、電話番号、カード番号、固有の識別番号などの前記加入店舗の基本情報が、数字、文字、バーコード、及び電子タグの形式で記録され、前記カードが、キャッシュカード形式、ステッカー形式、シンプルなペーパー形式、端末機形式、システム形式、又は電子タグ形式のうちの任意の１形式であり、カード会社又は銀行と提携する販売者を同定するために使用されることを特徴とする販売システムが提供される。
【発明の効果】
【００１０】
本発明によれば、クレジットカードを保持する購入者は販売者の新コンセプトカードを利用して認識情報を迅速かつ正確に入力するか、又は現金の有無、時間、場所、クレジットカード認証、端末機の有無にかかわらず、クレジットカードを与えることなしに、クレジットカード認証に従って前記新コンセプトカードをコンタクトして取引を行うことができる。従って、購入者は前記カードを便利に利用することができるため、顧客数が増加して売上成長を達成できる。さらに、オンライン又はオフライン商取引では、安定した効率の良い支払いを行うことができる一方、購入者情報の暴露は最小限に抑えられる。さらに、顧客のクレジットカードの不正使用や、購入者と販売者との間の摩擦を防止することが可能である。
【発明を実施するための最良の形態】
【００１１】
以下、本発明の好適な実施形態に係る販売（マーケティング）システムと方法を図１〜図３を参照して説明する。
【００１２】
図１〜図３は本発明の実施形態を示すものである。
【００１３】
本発明の実施形態に係るシステムには以下が含まれる。
【００１４】
ワイヤー／ワイヤレス通信回線を介してインターネットにアクセスする機能を含み、購入者が、商品を購入するため、インターネット経由で販売者サーバにアクセスできるとともに、サーバクレジットカード認証処理を行うためにカード会社（銀行）にアクセスできる購入者用端末機１と、販売者のユビキタスカード（ＵＣ）情報を登録、付与及び発行し、購入者のクレジットカードを利用して認証内容を処理するように銀行システムに要求し、カード会員情報、購入者と販売者のＵＣ情報、購入者の取引情報、及び支払情報をデータベース（ＤＢ）に格納するカードシステム４と、購入者と販売者のカード口座を格納し、前記カードシステム４がそのクレジットカード認証内容処理要求を行うと、購入者のカード口座から販売者のカード口座への送金を行う銀行システム２と、さらに、販売者の情報登録、付与、発行するため、インターネット上でカード会社（銀行）用システムにアクセスし、購入者が商品を検索し購入できるように情報を提供し、さらに、商品購入時におけるクレジットカード認証に必要なＵＣカード番号、注文番号、価格を送信するための販売者マネージャサーバ３２と、販売者をカード会社又は購入者に接続するための販売者用端末機３１と、を含む販売者用システム３。
【００１５】
前記カードシステム４には以下が含まれる。
【００１６】
販売者のＵＣの登録及び付与の管理と、購入者のカード口座から販売者のカード口座への送金を行うカード会社サーバ４１と、購入者によりインターネット上でクレジットカード認証要求が行われると、送金を行うために認証情報を前記カード会社サーバ４１に提供するカード会社ウェブサーバ４２と、ガイドメッセージを送信するので、電話で前記カード会社サーバにアクセスする購入者が取引情報を入力でき、購入者によって入力されたクレジットカード認証情報を前記カード会社サーバ４１に送信するので、そのクレジットカード認証を取得できるようになっているカード会社ＡＲＳシステム４４と、そのクレジットカード認証が取得されるかどうかに関する情報を前記購入者用端末機１及び前記販売者用端末機３１に送信するカード会社のメールサーバ４３と、前記発行済カードを有する販売者のＵＣ情報を格納するカード顧客情報ＤＢ４６と、登録済カードを有する購入者と販売者のカード情報を格納するカード会社の購入者・販売者情報ＤＢ４７と、購入者の全取引情報を格納するカード会社の購入者取引情報ＤＢ４８と、購入者のクレジットカード認証の要求時に購入者を同定するために使用された承認情報を格納するカード会社の取引承認ＤＢ４９と、購入者の事前認証要求時に購入者のクレジットカード事前認証内容を処理するカード会社の事前認証ＤＢ５０。
【００１７】
上記の構成を有する前記販売（マーケティング）システムによって実装された販売（マーケティング）方法には以下が含まれる。
【００１８】
購入者が、前記販売者用端末機３１を利用するか又はカード会社を訪れるかして加入契約を締結でき、ＵＣ情報を登録でき、ＵＣを発行できる第１ステップと、前記カード会社のＤＢで前記第１ステップによって取得された販売者のＵＣ情報を登録する第２ステップと、購入者が、商品の購入について相談するとともに商品を購入するために前記購入者用端末機１を用いて前記販売者用システム３にアクセスでき、商品購入に関する相談の完了時に、販売者が前記ＵＣ情報、注文番号、価格などの要件を購入者に通知できる第３ステップと、前記第３ステップの後に購入者が、前記カード会社ＡＲＳシステム４４及び前記カード会社ウェブサーバ４２にアクセスでき、注文番号、価格、前記ＵＣ情報などのクレジットカード認証情報を入力するか、又はクレジットカード認証要求を行うため、前記ＵＣに連絡できる第４ステップと、さらに、前記承認処理後に、前記カード会社ＡＲＳシステム４４又は前記カード会社ウェブサーバ４２が、購入者によって入力された支払情報を送信する一方、所定の承認処理を介して購入者を同定でき、前記カード会社サーバ４１が前記銀行システム２によって認証されたクレジットカードを利用して購入者のカード口座から販売者のカード口座への送金を要求できる第５ステップ。
【００１９】
前記カード会社のメールサーバ４３は前記購入者用端末機１及び前記販売者用システム３又は端末機にそのクレジットカード認証の結果を通知する。前記カード会社サーバ４１は、送金結果を前記ＤＢに格納するので、販売者が前記販売者用端末機を用いて前記カード会社ウェブサーバ４２又は前記カード会社ＡＲＳシステム４４にアクセスして、いずれのクレジットカードの認証又は送金が遂行されたかを確認できる。
【００２０】
前記第５ステップでは、前記カード会社サーバ４１は、前記第５ステップで購入者のクレジットカード事前認証が起こると、前記カード会社の事前認証ＤＢ５０においてクレジットカード事前認証を処理し、購入商品が納入され、購入者の主認証が起こると、前記カード会社の取引承認ＤＢ４９においてそのクレジットカード認証を処理し、クレジットカード認証内容を処理するように前記銀行システム２に対して要求する。
【００２１】
前記ＵＣは、カード会社（又はクレジットカード責務を行うための銀行）によって販売者（加入店舗）に登録されるか又は付与され、その中に記録された販売者情報を有するカードである。前記ＵＣは、国コード、カード識別コード、金融機関コード、加入年、通し番号、検証番号、会社の通し番号、それに記録されたカード番号（固有の識別番号）などの前記加入店舗の基本情報を有し、さらに、従来のクレジットカード形式、キャッシュカード形式、ステッカー形式、シンプルなペーパー形式、端末機形式、システム形式、又は電子タグ形式のうちの任意の１形式であり、カード会社（又は銀行）と提携する販売者を同定するために使用される。
【００２２】
以下、本発明の実施形態に係る販売（マーケティング）方法を説明する。
【００２３】
販売者は、ＵＣが発行されるか又はＵＣ番号が受信されるように、その端末機３１を用いてインターネット上で前記カード会社ウェブサーバ４２又は前記カード会社システム４のカード会社ＡＲＳシステム４４にアクセスするか、又はカード会社の支店に訪れる。前記カード会社サーバ４１は個人情報及び販売者のＵＣ情報を前記ＤＢ４６〜ＤＢ５０に格納し、前記端末機３１を介したアクセスの直後に前記ＵＣカードの登録情報を販売者に通知する。
【００２４】
購入者が、前記ＵＣがカード会社（又は銀行）から販売者に発行されている状態でその端末機１を用いて前記販売者用システム３の販売者管理サーバ３２にアクセスすると、前記販売者管理サーバ３２は、前記ＵＣ情報を提供又は宣伝するか、又は商品ＤＢ３６に格納された商品情報を前記購入者用端末機１に送信するので、購入者は所望の商品を購入できるようになっている。
【００２５】
商品の購入時、購入者は前記販売者管理サーバ３２を介して商品を購入することも、電話で販売者と商品について相談してから商品を購入することもできる。
【００２６】
商品の購入が実現されると、販売者は購入者に前記ＵＣ情報、注文番号及び価格を通知し、購入者は、前記購入者用端末機１を用いて前記カード会社ウェブサーバ４２又は前記カード会社ＡＲＳシステム４４にアクセスし、前記ＵＣ情報、注文番号、販売者から受信した価格を入力することによってクレジットカード認証を要求する。
【００２７】
購入者によって入力されたクレジットカード認証情報は、前記カード会社ウェブサーバ４２又は前記カード会社ＡＲＳシステム４４を介して前記カード会社サーバ４１に送信される。この時点で、前記カード会社ウェブサーバ４２及び前記カード会社ＡＲＳシステム４４は暗号化／セキュリティカード／電子証書などのさまざまな承認情報を利用して購入者を同定し、前記カード会社サーバ４１は、購入者のクレジットカード認証を処理し、前記承認処理が完了すると、前記銀行システム２にクレジットカード認証内容を処理するように要求する。
【００２８】
前記銀行システム２は、前記カード会社サーバ４１の要求に従って購入者のクレジットカード認証内容を処理し、前記カード会社サーバ４１にその処理結果を通知する。前記カード会社サーバ４１は前記処理結果をカード会社の購入者取引情報ＤＢ４８に格納する。
【００２９】
前記カード会社サーバ４１は、前記購入者用端末機１又は前記販売者用システム３又は前記販売者用端末機３１にそのクレジットカード認証処理を通知するので、購入者は前記処理が正常に行われたかどうか確認でき、認証情報を前記ＤＢに格納するので、販売者は前記販売者用端末機３１を用いて前記カード会社ウェブサーバ４２又は前記カード会社ＡＲＳシステム４４にアクセスしてそのクレジットカード認証が処理されるかどうかを確認できる。
【００３０】
なお、本発明では、購入者は前記クレジットカード事前認証を要求してもよい。
【００３１】
つまり、購入者が前記認証情報を入力しながら事前認証を要求すると、前記カード会社サーバ４１は、前記事前認証を前記カード会社の事前認証ＤＢ５０で処理し、商品が販売者から購入者に正常に納入され、購入者が主認証を要求すると、前記事前認証ＤＢに格納された事前認証内容の認証処理を行う。
【００３２】
前記事前認証方法が使用されると、実際の認証は商品が販売者から購入者に納入された後に実現される。よって、かかる商取引では、購入者サイドの商品破損問題が防止され得る。購入者が販売者からの異常な納入又は商品不良を確認し注文をキャンセルする場合、前記事前認証ＤＢの内容はキャンセルされる。
【００３３】
本発明に係る販売（マーケティング）システムは、オフライン商取引ならびにオンライン商取引で効果的に使用される。
【００３４】
例えば、購入者がその車にガソリンスタンドで燃料を補給する際、前記ガソリンスタンドは注文番号、ＵＣ番号、購入番号、価格などのクレジットカード認証に必要な情報を購入者に通知する。購入者がその端末機１を上記のようにその場で用いてクレジットカード認証処理を行うと、ガソリンスタンドのシステム３又は端末機３１には購入者のクレジットカード認証処理内容が通知されるので送金が行われる。よって、購入者が前記カード決済においてさえもそのクレジットカードを販売者に与える必要がないので、前記カードの紛失や不正使用は完全に防止できる。
【００３５】
本発明の実施形態において使用されたＵＣはカード形式であり、カード会社（又は銀行）によって製造され、カード会社（又は銀行）で登録されているか又はカード会社（又は銀行）に付与された販売者情報と、その中に記録された、前記商品販売の目的のために外部で使用される固有の販売者情報と、を有する。
【産業上の利用可能性】
【００３６】
上記のように、本発明によれば、前記システムには以下が含まれる。
ＵＣ情報を登録及び付与し、ＵＣを販売者に発行し、購入者によって提供されたクレジットカード認証情報に従ってクレジットカード認証内容を処理するように銀行システムに要求し、購入者がオンライン又はオフライン取引を介して商品を購入すると、そのクレジットカード認証処理内容を処理するように銀行システムに要求するカード会社システムと、そのクレジットカード認証処理を行うため、購入者及び販売者がワイヤー／ワイヤレス通信回線を介して銀行システム及び前記カード会社システムにアクセスすることを可能にするので、電子商取引における購入者の個人情報は保護され、安定した効率の良いクレジットカード認証処理が可能である購入者と販売者用端末機。よって、顧客のクレジットカードの不正使用や、購入者と販売者との間の摩擦を防止することが可能である。
【００３７】
本発明の好適な実施形態は例示的な目的で開示したものであって、当業者であれば、種々の変更、付加および代替を添付の特許請求の範囲で開示した本発明の範囲および真の趣旨から逸脱することなく行い得ることを理解されるであろう。
【図面の簡単な説明】
【００３８】
本発明の前述及び他の目的、特徴及び利点は、以下の添付図面を併用して、以下の詳細説明からより明確に理解されるであろう。
【図１】図１は本発明の実施形態を示すブロック図である。
【図２】図２は、販売者がカード会社に新コンセプトカードを発行するように要求し、販売者が前記カードを購入者に提供かつ宣伝を行うことを可能にする方法を図解説明するフローチャートである。
【図３】図３は、購入者が本発明の実施形態に従って商品を購入する際に、前記新コンセプトカードを利用してクレジットカード認証処理を行う方法を図解説明するフローチャートである。
【図１】
2009535685.tif 000003
【図２】
2009535685.tif 000004
【図３】
2009535685.tif 000005
【国際調査報告】
2009535685.tif 000006
2009535685.tif 000007